(57)【要約】【課題】架空光クロージャにおいて、光ファイバケーブルの光ファイバに、光ドロップケーブルを接続する作業を、簡単に短時間で行えるための技術の開発が求められていた。【解決手段】外装ケース２内に、光ファイバケーブル１１の光ファイバ１１ａを収納する光ファイバ収納部２６と、光ドロップケーブルが引き込まれる接続ケーブル引込部２７とが、区分け壁２５によって区分けして設けられ、外装ケース２の一部を構成する開閉自在の蓋２８によって前記接続ケーブル引込部２７を開閉でき、蓋２８を開けると、光ファイバケーブル１１の光ファイバ１１ａに対して光ドロップケーブルをコネクタ接続するための光コネクタアダプタ４を露出できる光クロージャを提供する。【選択図】図１０
2007298921.tif 000002
【特許請求の範囲】
【請求項１】
第１の光ファイバケーブル（１１）と該第１の光ファイバケーブルに接続される第２の光ファイバケーブル（１２）との接続点に設けられる光クロージャであって、
前記第１の光ファイバケーブルが引き込まれる外装ケース（２）内に、
該外装ケース内に引き込まれた第１の光ファイバケーブルの光ファイバ（１１ａ）を収納する光ファイバ収納部（２６）と、第２の光ファイバケーブルが引き込まれる接続ケーブル引込部（２７）とが、区分け部材（２５）によって区分けして設けられ、
前記外装ケース内には、前記第１の光ファイバケーブルの光ファイバに前記第２の光ファイバケーブルをコネクタ接続するための光コネクタ（４）が、前記接続ケーブル引込部に露出させて、前記接続ケーブル引込部側から前記第２の光ファイバケーブル先端の光コネクタ（１４）を接続可能に組み込まれ、
前記外装ケースの一部を構成する開閉自在の蓋（２８）によって、前記接続ケーブル引込部を開閉できることを特徴とする光クロージャ（１）。
【請求項２】
前記外装ケースの内の前記蓋が閉じ合わされる部分と前記蓋との合わせ目に、前記接続ケーブル引込部の内外に前記第２の光ファイバケーブルを通すための接続ケーブル引込口（２０ｂ）が開口されていることを特徴とする請求項１記載の光クロージャ。
【請求項３】
架空支持線（１３）に吊支した前記外装ケースの両側部の一方に前記蓋が設けられ、
前記外装ケースの前記蓋とは反対側の側部に、前記接続ケーブル引込口から前記外装ケースの外側に延出されて前記接続ケーブル引込口から前記外装ケースの前記延在方向において反対側へ反転するように湾曲配線された前記第２の光ファイバケーブルを引き留める引留具（２１ｉ）が設けられていることを特徴とする請求項２記載の光クロージャ。
【請求項４】
前記光ファイバ収納部に、前記光コネクタによって前記第２の光ファイバケーブルとコネクタ接続される内部光ファイバ（３、３２、３３）と、該内部光ファイバと前記第１の光ファイバケーブルの光ファイバとの接続部（１５）とが収納されていることを特徴とする請求項１〜３のいずれかに記載の光クロージャ。
【請求項５】
前記外装ケースが、架空支持線に吊支するための吊り具（５）が取り付けられた第１ケース半体（２１）と、この第１ケース半体に対して開閉することで、前記光ファイバ収納部を開閉する第２ケース半体（２２）とからなる、二つ割り構造であり、
前記第２ケース半体に前記接続ケーブル引込部及び前記蓋が設けられていることを特徴とする請求項１〜４のいずれかに記載の光クロージャ。
【請求項６】
前記第１ケース半体と前記第２ケース半体とがヒンジ（２３）によって回動自在に連結され、前記第２ケース半体は、前記ヒンジを中心とする回動によって、前記第１ケース半体に対して開閉することを特徴とする請求項５記載の光クロージャ。
【請求項７】
前記第２ケース半体と前記蓋とがヒンジ（２２ｅ）によって回動自在に連結され、前記蓋は、前記ヒンジを中心とする回動によって、前記第２ケース半体に対して開閉することを特徴とする請求項５又は６記載の光クロージャ。
【請求項８】
前記第２の光ファイバケーブル先端の光コネクタが、フェルール（１４１）を収納したハウジング（１４２）に、第２の光ファイバケーブル先端部の外被に固定した固定ブロック（１２ｂ）を引き留める引留部（１４３）を具備するものである、ことを特徴とする請求項１〜７のいずれかに記載の光クロージャ。
【請求項９】
前記区分け部材が、前記外装ケース内に設けられている板状の区分け壁であり、
前記第１の光ファイバケーブルの光ファイバに前記第２の光ファイバケーブルをコネクタ接続するための光コネクタが、前記区分け壁に取り付けられていることを特徴とする請求項１〜８のいずれかに記載の光クロージャ。
【発明の詳細な説明】
【技術分野】
【０００１】
本発明は、光クロージャに係り、特に、光ファイバケーブルと該光ファイバケーブルに接続される別の光ファイバケーブルとの接続点に設けられる光クロージャに関する。
【背景技術】
【０００２】
架空光ファイバケーブルと該光ファイバケーブルから分岐される光ドロップケーブルとの接続点に設けられる架空用の光クロージャについては、数多くの提案がある（例えば特許文献１、２参照）。
従来の光クロージャは、クロージャスリーブ内に収納したトレーに、光ファイバケーブルの光ファイバと光ドロップケーブルの光ファイバとの接続部（主として融着接続部）を余長とともに収納する構造が一般的である。
【特許文献１】特開２００３−２３０２１６号公報
【特許文献２】特開２００４−１６３７１８号公報
【発明の開示】
【発明が解決しようとする課題】
【０００３】
しかしながら、従来の光クロージャは、組み立て後に、光ドロップケーブルの増設等の作業を行うには、クロージャスリーブの開閉を要する。光ドロップケーブルを１本増設するだけでも、クロージャスリーブの開閉や、トレーからの心線の取り出し、再収納といった作業を要するため、簡単に作業を行える技術の開発が求められていた。
【０００４】
本発明は、前記課題に鑑みて、光ファイバケーブル同士（光ファイバケーブルの光ファイバ同士）の接続、切替接続、光ファイバケーブルに接続する別の光ファイバケーブルの増設等の作業を、簡単に短時間で行える光クロージャの提供を目的としている。
【課題を解決するための手段】
【０００５】
上記課題を解決するために、本発明では以下の構成を提供する。
第１の発明は、第１の光ファイバケーブルと該第１の光ファイバケーブルに接続される第２の光ファイバケーブルとの接続点に設けられる光クロージャであって、前記第１の光ファイバケーブルが引き込まれる外装ケース内に、該外装ケース内に引き込まれた第１の光ファイバケーブルの光ファイバを収納する光ファイバ収納部と、第２の光ファイバケーブルが引き込まれる接続ケーブル引込部とが、区分け部材によって区分けして設けられ、前記外装ケース内には、前記第１の光ファイバケーブルの光ファイバに前記第２の光ファイバケーブルをコネクタ接続するための光コネクタが、前記接続ケーブル引込部に露出させて、前記接続ケーブル引込部側から前記第２の光ファイバケーブル先端の光コネクタを接続可能に組み込まれ、前記外装ケースの一部を構成する開閉自在の蓋によって、前記接続ケーブル引込部を開閉できることを特徴とする光クロージャを提供する。
第２の発明は、前記外装ケースの内の前記蓋が閉じ合わされる部分と前記蓋との合わせ目に、前記接続ケーブル引込部の内外に前記第２の光ファイバケーブルを通すための接続ケーブル引込口が開口されていることを特徴とする第１の発明の光クロージャを提供する。
第３の発明は、架空支持線に吊支した前記外装ケースの両側部の一方に前記蓋が設けられ、前記外装ケースの前記蓋とは反対側の側部に、前記接続ケーブル引込口から前記外装ケースの外側に延出されて前記接続ケーブル引込口から前記外装ケースの前記延在方向において反対側へ反転するように湾曲配線された前記第２の光ファイバケーブルを引き留める引留具が設けられていることを特徴とする第２の発明の光クロージャを提供する。
第４の発明は、前記光ファイバ収納部に、前記光コネクタによって前記第２の光ファイバケーブルとコネクタ接続される内部光ファイバと、該内部光ファイバと前記第１の光ファイバケーブルの光ファイバとの接続部とが収納されていることを特徴とする第１〜第３のいずれかの光クロージャを提供する。
第５の発明は、前記外装ケースが、架空支持線に吊支するための吊り具が取り付けられた第１ケース半体と、この第１ケース半体に対して開閉することで、前記光ファイバ収納部を開閉する第２ケース半体とからなる、二つ割り構造であり、前記第２ケース半体に前記接続ケーブル引込部及び前記蓋が設けられていることを特徴とする第１〜第４のいずれかの光クロージャを提供する。
第６の発明は、前記第１ケース半体と前記第２ケース半体とがヒンジ（２３）によって回動自在に連結され、前記第２ケース半体は、前記ヒンジを中心とする回動によって、前記第１ケース半体に対して開閉することを特徴とする第５の発明の光クロージャを提供する。
第７の発明は、前記第２ケース半体と前記蓋とがヒンジによって回動自在に連結され、前記蓋は、前記ヒンジを中心とする回動によって、前記第２ケース半体に対して開閉することを特徴とする第５又は第６の発明の光クロージャを提供する。
第８の発明は、前記第２の光ファイバケーブル先端の光コネクタが、フェルールを収納したハウジングに、第２の光ファイバケーブル先端部の外被に固定した固定ブロックを引き留める引留部を具備するものである、ことを特徴とする第１〜７のいずれかの発明の光クロージャを提供する。
第９の発明は、前記区分け部材が、前記外装ケース内に設けられている板状の区分け壁であり、前記第１の光ファイバケーブルの光ファイバに前記第２の光ファイバケーブルをコネクタ接続するための光コネクタが、前記区分け壁に取り付けられていることを特徴とする第１〜第８のいずれかの発明の光クロージャを提供する。
【発明の効果】
【０００６】
本発明に係る光クロージャよれば、外装ケースの一部である蓋を開けて、接続ケーブル引込部を開放することで、外装ケース内部に組み込まれている光コネクタに対する第２の光ファイバケーブルのコネクタ接続、接続解除、切替接続といった作業を行える。
このため、外装ケース自体を開放しなくても、第１の光ファイバケーブルの光ファイバに対する第２の光ファイバケーブル（第２の光ファイバケーブルの光ファイバ）のコネクタ接続、接続解除、切替接続といった作業を行える。これにより、作業を、短時間で簡単に行えるようになる、といった優れた効果を奏する。
【発明を実施するための最良の形態】
【０００７】
以下、本発明を実施した光クロージャについて、図面を参照して説明する。
図１は本発明に係る光クロージャ１を示す全体斜視図、図２は前記光クロージャ１の接続ケーブル引込口２０ｂが開口されている端面の側から見た側面図、図３は前記光クロージャ１の第１ケース半体２１に対して第２ケース半体２２を開いて光ファイバ収納部２６を開放した状態を示す正面図、図４は光クロージャ１の外装ケース２の蓋２８（子扉）を開いて接続ケーブル引込部２７を開放した状態を示す正面図である。
なお、光クロージャ１について、図１〜図４において、上側を「上」、下側を「下」として説明する。
【０００８】
この光クロージャ１は、光ファイバケーブル１１（第１の光ファイバケーブル）と該光ファイバケーブル１１から分岐される光ドロップケーブル１２（第２の光ファイバケーブル）との接続点に設けられるものであって、外観板状の外装ケース２内に、該外装ケース２に引き込まれる光ファイバケーブル１１の光ファイバ１１ａと接続される内部光ファイバ３と、この内部光ファイバ３に光ドロップケーブル１２（詳細には、光ドロップケーブル１２の光ファイバ１２ａ）をコネクタ接続するための光コネクタ４とを収納した概略構成になっている。
この光クロージャ１は、外装ケース２に取り付けられた吊り具５によって、架空支持線１３に吊支して設置される。前記吊り具５は、外装ケース２の後述する第１ケース半体２１に固定して、外装ケース２から上方（図１〜図４において上側）に突出されている。
【０００９】
前記外装ケース２は、外観板状の厚みの中央部で、一対のケース半体２１、２２（第１ケース半体２１，第２ケース半体２２）に分割された、二つ割り構造になっている。
一対のケース半体２１、２２は、ヒンジ２３によって回動自在に連結されており、前記第２ケース半体２２は、前記ヒンジ２３を中心とする回動によって、吊り具５によって支持線１３に吊支された前記第１ケース半体２１に対して開閉できる。
【００１０】
この外装ケース２は、一対のケース半体２１、２２を閉じ合わせることで、前述の外観板状になる。
前記吊り具５は、第１ケース半体２１の外面に沿って、外装ケース２上に突出しており、上端の支持線固定部５１によって、支持線１３に固定される。
図２、図３に例示した吊り具５の前記支持線固定部５１は、一対の固定板５２、５３の間に支持線１３を挟み込んで固定する構造になっている。符号５４は、一対の固定板５２、５３を締め付けるためのネジである。但し、支持線固定部５１の構成は、これに限定されない。
吊り具５によって支持線１３から吊支された外装ケース２は、縦向き、すなわち、厚み方向両側の面が縦となる姿勢で設置される。
【００１１】
また、吊り具５によって支持線１３から吊支された外装ケース２は、外装ケース２の上端における一対のケース半体２１、２２の合わせ目２４が支持線１３に沿って延在するように、支持線１３に沿った向きで支持される。
以下、外装ケース２の支持線１３に沿った方向を、延在方向、と称することとする。
なお、図示例の光クロージャ１の外装ケース２は、具体的には、一対のケース半体２１、２２を閉じ合わせた状態で、前記延在方向に沿って細長の、外観長方形板状になっている。
【００１２】
一対のケース半体２１、２２を回動自在に連結するヒンジ２３は、一対のケース半体２１、２２を閉じ合わせた状態（以下、閉状態、とも言う）の外装ケース２における下端部に設けられている。
第１ケース半体２１に対して第２ケース半体２２を開くと、図３に示すように、概略トレー状の各ケース半体２１、２２を開放できる。
一対のケース半体２１、２２は、各ケース半体２１、２２の外周部に周設されている周囲壁２１ｃ、２２ｃ同士を接合することで閉じ合わされる。
【００１３】
第１ケース半体２１の周囲壁２１ｃは、閉状態の外装ケース２における厚み方向片側の側板として機能する面板２１ｂの周囲に、該面板２１ｂの内面側（第２ケース半体２２側）に立ち上げるようにして突設されている。
具体的には、外装ケース２は、前記支持線１３に沿う延在方向に細長の外観長方形板状であり、周囲壁２１ｃは、長方形状の面板２１ｂの周囲に長方形枠状（外装ケース２の延在方向に細長い）に形成されている。
一方、図６に示すように、第２ケース半体２２の周囲壁２２ｃも、枠状（具体的には長方形枠状）に形成されている。
詳細には、第２ケース半体２２の周囲壁２２ｃの、第１ケース半体２１と接合される側（以下、接合側、とも言う）の端部には、リブ状の２条の突条２２ｃ１、２２ｃ２（内周壁２２ｃ１、外周壁２２ｃ２）が形成されている。そして、この２本の突条２２ｃ１、２２ｃ２の間の溝２２ｃ３に、第１ケース半体２１の周囲壁２１ｃの面板２１ｂからの突出先端を収納することで、一対のケース半体２１、２２が閉じ合わされる。
【００１４】
図１において、符号２９１は、ケース半体２１、２２同士の閉じ合わせ状態を維持して、開放を規制できるロック片である。
このロック片２９１は、コ字形の部品であり、第１ケース半体２１上に突設されているガイド突条２１ｄに案内されて外装ケース２の延在方向にスライド移動することで、第２ケース半体２２上に突設されている係止突起２２ｎ（図１、図６参照）に係合して第１ケース半体２１に対する第２ケース半体２２の開放を規制して、ケース半体２１、２２同士の閉じ合わせ状態を維持する「ロック位置」と、前記係止突起２２ｎとの係合を回避して、第１ケース半体２１に対する第２ケース半体２２の開放を許可する「開放許可位置」とを切り替えることができる。
【００１５】
図５，図６に示すように、第２ケース半体２２は、第１ケース半体２１と同様に、外装ケース２の延在方向に細長い概略長方形板状に形成されている。
この第２ケース半体２２では、延在方向中央部から延在方向一方の側（一側）に形成された面板部２２ｂと、延在方向他側に設けられた開閉自在の蓋（以下、子扉２８）とが、閉状態の外装ケース２における前記第１ケース半体２１の面板２１ｂとは反対側の側壁を構成する。
【００１６】
前記面板部２２ｂは、周囲壁２２ｃの接合側とは反対の側（以下、側面側）に形成され、周囲壁２２ｃによって取り囲まれる内側の領域の内、第２ケース半体２２の延在方向中央部から一側を覆う。
図１に示すように、前記子扉２８は、第２ケース半体２２の側面側において、面板部２２ｂから第２ケース半体２２の延在方向他側、つまり、面板部２２ｂによって覆われていない部分（図４参照）に装着される。図１、図８に示すように、子扉２８は板状であり、閉状態の外装ケース２の下側に設けられているヒンジ２２ｅを中心に、外装ケース２の延在方向に沿った方向の軸線回りに回動でき、この回動によって開閉できる。
【００１７】
子扉２８を閉じると、子扉２８によって窓状の開口部２２ｄが覆われる。開口部２２ｄの周囲に位置する周囲壁２２ｃの側面側の端部（図５参照）には、子扉２８の外周部が接合される。
また、図示例の光クロージャ１の第２ケース半体２２では、面板部２２ｂの開口部２２ｄに臨む端部に突設されている接合壁２２ｆも含む、開口部２２ｄの周囲の枠状の縁部（但し、後述する接続ケーブル引込口を除く）に、子扉２８が接合されるようになっている。前記接合壁２２ｆは、前記面板部２２ｂから接合側にずれた所に位置して、開口部２２ｄの周囲に位置する周囲壁２２ｃの側面側の端部と連続する枠状の縁部を形成している。接合壁２２ｆと面板部２２ｂとの間には段差が形成されている。
【００１８】
なお、ヒンジ２２ｅの位置は、外装ケース２の下側に限定されない。
例えば、第２ケース半体２２の延在方向他側の端部壁２２ｋにヒンジ２２ｅを設けて、子扉２８を、ヒンジ２２ｅの上下方向の軸線を中心に回動自在に取り付け、開口部２２ｄに対して開閉できるようにしても良い。
【００１９】
図１、図５等において、符号２９２はロック片である。
このロック片２９２はコ字形の部品であり、第２ケース半体２２上に突設されているガイド突条２２ｏに案内されて外装ケース２の延在方向にスライド移動することで、子扉２８上に突設されている係止突起２８ａに係合して第２ケース半体２２に対する子扉２８の開放を規制して閉じ合わせ状態を維持する「ロック位置」と、前記係止突起２８ａとの係合を回避して、第２ケース半体２２に対する子扉２８の開放を許可する「開放許可位置」とを切り替えることができる。
【００２０】
図５、図６に示すように、第２ケース半体２２の接合側には、外装ケース２の内側空間を、光ファイバケーブル１１が引き込まれる光ファイバ収納部２６（光ファイバ収納空間）と、光ドロップケーブル１２が引き込まれる接続ケーブル引込部２７（ドロップケーブル引込空間）とに区分けする区分け部材として、区分け壁２５が形成されている。つまり、図９（ａ）、（ｂ）に示すように、閉状態の外装ケース２内には、区分け壁２５によって、光ファイバ収納部２６と接続ケーブル引込部２７とが区分けして形成される。
【００２１】
この区分け壁２５は、第２ケース半体２２の接合側にて、第２ケース半体２２の面方向、すなわち、面板部２２ｂと子扉２８とによって構成される外装ケース２の側壁に沿った方向（換言すれば、閉状態の外装ケース２の厚みに垂直の方向）に延在する板状に形成され、前記開口部２２ｄに対応する部分に形成されている。
また、図示例の光クロージャ１の第２ケース半体２２では、面板部２２ｂと区分け壁２５との間が、第２ケース半体２２の延在方向中央部に形成されたコネクタ壁２２ｇによって連結されている。
【００２２】
図示例のコネクタ壁２２ｇは、接合壁２２ｆの面板部２２ｂからの突出先端から接続ケーブル引込部２７内に張り出された延長壁２２ｇ１と、この延長壁２２ｇ１の面板部２２ｂからの突出先端から、第２ケース半体２２の厚み方向（面方向に直交する方向）に延び、延長壁２２ｇ１と区分け壁２５との間を連結する段部壁２２ｇ２とによって構成されている。
このコネクタ壁２２ｇは、開口部２２ｄから側面側に突出せず、子扉２８を閉じても、子扉２８と接触しない。
【００２３】
ここで、コネクタ壁２２ｇは、光ファイバ収納部２６と接続ケーブル引込部２７とを区分けする区分け壁２５の一部として形成されている。
以下、コネクタ壁２２ｇ付きの区分け壁２５を隔壁２２ｈと称することとする。
【００２４】
図９（ａ）、（ｂ）に示すように、閉状態の外装ケース２の内部は、具体的には、隔壁２２ｈによって、光ファイバ収納部２６と接続ケーブル引込部２７とに区分けされる。
光ファイバ収納部２６は、第２ケース半体２２において段部壁２２ｇ２から延在方向一側（図９（ｂ）左側）の内側空間と、この内部空間に連通する第１ケース半体２１の内側空間とからなる。
接続ケーブル引込部２７は、第２ケース半体２２において、前記開口部２２ｄから窪んだ形状の凹所であり、周囲壁２２ｃの内の開口部２２ｄの周囲に位置する部分と、前記隔壁２２ｈとによって取り囲まれる内側の空間である。  
【００２５】
また、ここで例示した光クロージャ１の第２ケース半体２２の面板部２２ｂと周囲壁２２ｃと隔壁２２ｈとは、合成樹脂で一体成形された１部品になっている。
図６に示すように、接続ケーブル引込部２７は、具体的には、第２ケース半体２２の側面側から接合側に窪む凹形に成形されて側面側に開口する内部トレー部２２ｉの内側の空間である。
区分け壁２５は、内部トレー部２２ｉの開口部２２ｄから最も奥側に位置する底壁を構成する。
内部トレー部２２ｉにおいて区分け壁２５の周囲に形成されている側壁の内の一部は、第２トレー半体２２の周囲壁２２ｃの内、閉状態の外装ケース２の下側に配置される底壁部２２ｊの内の一部が、これを兼ねている。区分け壁２５の周囲の側壁の他の部分は、周囲壁２２ｃの内、第２ケース半体２２の延在方向他側の端部壁２２ｋを形成している部分の側面側端部、上部壁２２ｍを形成している部分の側面側端部、面板部２２ｂから連続して、第２トレー半体２２の接合側に延出するように形成されており、しかも、いずれも、周囲壁２２ｃの内側に位置している。
内部トレー部２２ｉの側壁の内、面板部２２ｂから延出するものがコネクタ壁２２ｇである。
底壁部２２ｊの一部が、内部トレー部２２ｉの側壁の内の一部を兼ねている構成を、底壁部２２ｊの側面側端部から、別途、内部トレー部２２ｉの側壁を接合側に延出させ、内部トレー部２２ｉの側壁全体が、枠状の周囲壁２２ｃの内側に位置するように変更することも可能である。
【００２６】
但し、第２ケース半体２２としては、例えば、内部トレー部２２ｉを具備せず、図１０（ａ）、（ｂ）のように、周囲壁２２ｃの内の、面板部２２ｂよりも延在方向他側に位置する部分自体を、接続ケーブル引込部２７の周囲の側壁として機能させる（コネクタ壁２２ｇの段部壁２２ｇ２も側壁として機能させる）構成も採用可能である。
【００２７】
なお、ここで例示した光クロージャ１においては、第１ケース半体２１、子扉２８も、それぞれ、合成樹脂製の一体成形品である。
【００２８】
図５、図６等に示すように、外装ケース２内に収納した光コネクタ４は、コネクタ壁２２ｇに取り付けてある。
具体的には、光コネクタ４は、光コネクタアダプタであり（以下、光コネクタ４を光コネクタアダプタ４とも言う）、コネクタ壁２２ｇの延長壁２２ｇ１から接合側に突出された係合爪２２ｇ３（弾性爪）に係合して、延長壁２２ｇ１に固定してある。光コネクタアダプタ４は、延長壁２２ｇ１に、複数横並びに設けられている。
また、段部壁２２ｇ２には、延長壁２２ｇ１に固定された複数の光コネクタアダプタ４に対応させて、複数のコネクタ穴２２ｇ４が形成されており、接続ケーブル引込部２７側から、光ドロップケーブル１２先端に取り付けた光コネクタ１４（光コネクタプラグ）を光コネクタアダプタ４に挿入して接続できるようになっている。
図示例では、プラグ穴４１を２つ有する２連の光コネクタアダプタ４を採用しているが（図５参照）、光コネクタアダプタ４としては、プラグ穴４１が１つだけ形成されているもの、３以上形成されているものを採用することも可能である。
【００２９】
図示例では、光コネクタアダプタ４は、プラグ穴４１の軸方向に沿った両端の内の片端を、段部壁２２ｇ２のコネクタ穴２２ｇ４に挿入してあるが、光コネクタアダプタ４は、接続ケーブル引込部２７側からの、光ドロップケーブル１２先端の光コネクタ１４（光コネクタプラグ）の接続が可能であれば良く、この点、光コネクタアダプタ４の全体を段部壁２２ｇ２の光ファイバ収納部２６側に設置したり（但し、プラグ穴４１をコネクタ穴２２ｇ４に位置合わせする）、光コネクタアダプタ４全体を接続ケーブル引込部２７内に組み込んで隔壁２２ｈに固定するといったことも可能である。
いずれにしても、光コネクタアダプタ４は、光ドロップケーブル１２先端の光コネクタ１４（光コネクタプラグ）の接続が可能なように、プラグ穴４１を接続ケーブル引込部２７と連通させて（つまり、接続ケーブル引込部２７に露出させて）、第２ケース半体２２内に組み込む。
【００３０】
内部光ファイバ３は、片端に、光コネクタアダプタ４に挿入して接続される光コネクタ３１が取り付けれられたコネクタ付き光ファイバである。
この内部光ファイバ３は、光コネクタ３１とは反対側の端部（以下、接続端部）を光ファイバケーブル１１の光ファイバ１１ａと接続することで、光ファイバケーブル１１の光ファイバ１１ａを、光ドロップケーブル１２に対してコネクタ接続可能に成端する機能を果たす。
【００３１】
前記内部光ファイバ３の光コネクタ３１は、第２ケース半体２２の光コネクタアダプタ４に光ファイバ収納部２６側から接続してある。光コネクタアダプタ４に、光ドロップケーブル１２先端の光コネクタ１４を挿入して接続すると、光コネクタアダプタ４内での、内部光コネクタ３の光コネクタ３１と光ドロップケーブル１２先端の光コネクタ１４との接続によって、内部光ファイバ３と光ドロップケーブル１２の光ファイバ１２ａとが光接続される。
内部光ファイバ３の接続端部に、光ファイバ収納部２６に引き込んだ光ファイバケーブル１１の端末に口出しした光ファイバ１１ａを接続し、光コネクタアダプタ４に、光ドロップケーブル１２先端の光コネクタ１４を挿入して接続すると、光ドロップケーブル１２の光ファイバ１２ａが、内部光ファイバ３を介して、光ファイバケーブル１１の光ファイバ１１ａと光接続される。
【００３２】
内部光ファイバ３と光ファイバケーブル１１の光ファイバ１１ａとの接続は、例えば、融着接続である。
図３等に示すように、内部光ファイバ３と光ファイバケーブル１１の光ファイバ１１ａとを接続した接続部１５は、第１ケース半体２１内に設けられた接続部ホルダ１６に取り出し可能に保持させる。これにより、内部光ファイバ３は、第１ケース半体２１と第２ケース半体２２とにわたって配線して、外装ケース２内に収納される。
なお、図３に例示した接続部ホルダ１６は、接続部１５が取り出し可能に嵌め込まれる嵌め込み溝１６ａが複数配列形成されているものである。
【００３３】
但し、内部光ファイバ３と光ファイバケーブル１１の光ファイバ１１ａとの接続は、例えば、メカニカルスプライス等を利用した機械的接続であっても良い。
光ファイバ１１ａ及び内部光ファイバ３の接続余長１１ｂ、３ａは、第１ケース半体２１内に収納する。
図３中、符号１７は、面板２１ｂに突設された押さえ片であり、接続余長１１ｂ、３ａを面板２１ｂに押さえ込む。
【００３４】
図１１（ａ）、（ｂ）は、外装ケース２内の配線例を示す。
光ファイバケーブル１１の光ファイバ１１ａは、ここでは多心光ファイバテープ心線である。光ファイバケーブル１１は、心数の少ない（例えば、１心〜２４心程度）、細径の光ファイバケーブルである。
また、光ドロップケーブル１２は、光ファイバ素線（あるいは光ファイバ心線）を樹脂中に埋設してなる細径の単心光ファイバケーブルである。
なお、図３には、後述する図１１（ｂ）の配線例を図示している。
【００３５】
図１１（ａ）は、前記内部光ファイバ３として、基端側光ファイバ３２ａと、該基端側光ファイバ３２ａに設けられた分岐結合部３２ｂ（スプリッタ本体）と、該分岐結合部３２ｂを介して前記基端側光ファイバ３２ａから分岐された複数本の分岐側光ファイバ３２ｃとを具備してなる光スプリッタ３２を採用した例である。
基端側光ファイバ３２ａと分岐側光ファイバ３２ｃとは単心光ファイバである。光コネクタ３１は、分岐結合部３２ｂから延出する各分岐側光ファイバ３２ｃの先端に取り付けられている。
本例では、多心光ファイバテープ心線である光ファイバ１１ａの１心に、光スプリッタ３２の基端側光ファイバ３２ａを接続し（接続部１５）ており、光ファイバケーブル１１の１心に、複数本の光ドロップケーブル１２が、光スプリッタ３２を介して、接続される。
【００３６】
図１１（ｂ）は、内部光ファイバ３として、ファンアウト光ファイバ３３を採用したものである。ファンアウト光ファイバ３３は、多心光ファイバテープ心線である多心光ファイバ部３３ａの片端から、単心光ファイバ心線あるいは光ファイバ素線等の単心光ファイバである複数本の単心光ファイバ部３３ｂに分岐されているものである。光コネクタ３１は、多心光ファイバ部３３ａから延びる各単心光ファイバ部３３ｂの先端に取り付けられている。
本例では、多心光ファイバテープ心線である光ファイバ１１ａに多心光ファイバ部３３ａを接続し（接続部１５）ており、光ファイバケーブル１１の多心の光ファイバ１１ａの各心に、光ドロップケーブル１２が一本ずつ接続される。
【００３７】
なお、内部光ファイバ３としては、例えば、一本の単心光ファイバの片端に光コネクタ３１を取り付けたコネクタ付き光ファイバであっても良い。
前記単心光ファイバは、途中に分岐が無く。全体が一本になっているものを指す。
【００３８】
この光クロージャ１は、外装ケース２内に、内部光ファイバ３、光コネクタ４を組み込んだ状態で、支持線１３に吊支し、光ファイバ収納部２６に光ファイバケーブル１１を引き込み、この光ファイバケーブル１１の光ファイバ１１ａと内部光ファイバ３とを接続した接続部１５を収納して設置される（設置工事）。この設置工事が完了したら、接続ケーブル引込部２７に引き込んだ光ドロップケーブル１２の先端の光コネクタ１４を、光コネクタアダプタ４に挿入して接続することで、光ファイバケーブル１１の光ファイバ１１ａに光ドロップケーブル１２を光接続でき、光ファイバケーブル１１の光回線の引き落としを、簡単に実現できる。
【００３９】
前記設置工事では、図３に示すように、支持線１３に吊支した第１ケース半体２１に対して第２ケース半体２２を開放して、光ファイバケーブル１１の引き込み、接続部ホルダ１６への接続部１５の保持等の作業を行った後、第２ケース半体２２を第１ケース半体２１に閉じ合わせる。
【００４０】
外装ケース２の延在方向両端には、光ファイバ収納部２６の内外に光ファイバケーブル１１を通すためのケーブル引込口２０ａが設けられている。
図示例の光クロージャ１において、ケーブル引込口２０ａは、具体的には、図３、図５に示すように、外装ケース２の延在方向両端において、第１、第２ケース半体２１、２２の周壁部２１ｃ、２２ｃの一部を切り欠いた部分（切欠部２１ｃ１、２２ｃ４）であり、ケース半体２１、２２同士を閉じ合わせときに、ケーブル引込口２０ａに通されている光ファイバケーブル１１を収納できる開口部となる。
【００４１】
図３に示すように、第１ケース半体２１の内側には、第１ケース半体２１のケーブル引込口２０ａに対応する位置に、光ファイバケーブル１１の被覆部分が嵌め込まれるケーブル嵌め込み溝２１ｆ、２１ｇが形成されている。
第１ケース半体２１に引き込んだ光ファイバケーブル１１（被覆部分）は、ケーブル嵌め込み溝２１ｆ、２１ｇに嵌め込んで固定することで、引き留める。
ケーブル引込口２０ａには、符号２１ｆのケース部嵌め込み溝が複数並列に形成された第１溝配列部２１Ｆと、この第１溝配列部２１Ｆよりも第１ケース半体２１の内側にずれた位置にて、ケーブル嵌め込み溝２１ｇが複数並列に形成された第２溝配列部２１Ｇとが設けられている。
第１、第２溝配列部２１Ｆ、２１Ｇは、光ファイバケーブル１１を固定するケーブル固定部として機能する。
【００４２】
一対のケース半体２１、２２同士を閉じ合わせると、第２ケース半体２２の前記ケーブル引込口２０ａに対応する部分に設けられているシール部材（図示略）が、第１、第２溝配列部２１Ｆ、２１Ｇに押し当てられて、ケーブル引込口２０ａの防水性が確保される。シール部材は、例えば、ゴム等の弾性材料によって形成されているため、光ファイバケーブル１１が嵌め込まれているケーブル嵌め込み溝２１ｆ、２１ｇ、及び、光ファイバケーブル１１が嵌め込まれていないケーブル嵌め込み溝２１ｆ、２１ｇのいずれにも確実に押し当てられて、防水性を確保できる。
【００４３】
また、シール部材は、第１ケース半体２１及び／又は第２ケース半体２２の周壁部２１ｃ、２２ｃにも設けられており、一対のケース半体２１、２２同士を閉じ合わせれば、各ケース半体２１、２２の周壁部２１ｃ、２２ｃ同士の接合部分にも防水性が確保される。
【００４４】
第１ケース半体２１の、前記第１溝配列部２１Ｆよりも外側（第２溝配列部２１Ｇとは反対の側）にて、複数突設された弾性爪２１ｈは、第１ケース半体２１に引き込んだ光ファイバケーブル１１を保持して、ケース半体２１、２２同士の閉じ合わせ完了まで離脱を防止する、仮留め片として機能する。
この弾性爪２１ｈは、各ケーブル嵌め込み溝２１ｆに嵌め込まれた光ファイバケーブル１１を個別に保持できるように、ケーブル嵌め込み溝２１ｆと同数形成されている。
【００４５】
設置工事を完了した光クロージャ１の、外装ケース２内の光コネクタアダプタ４に光ドロップケーブル１２先端の光コネクタ１４を接続するには、子扉２８を開けて接続ケーブル引込部２７を開放し、光ドロップケーブル１２を接続ケーブル引込部２７に引き込み、光ドロップケーブル１２先端の光コネクタ１４を光コネクタアダプタ４に挿入する。
ここで、第１ケース半体２１と第２ケース半体２２との間を開放する必要は無い。
このため、光コネクタ３１、１４同士の接続作業は、非常に簡単に行うことができる。
【００４６】
光コネクタアダプタ４での光コネクタ３１、１４同士の接続を完了したら、子扉２８を閉じる。
図８等に示すように、子扉２８は、該子扉２８の外周部に周設されている周囲壁２８ｃを、接続ケーブル引込部２７の開口部２２ｄの周囲の枠状縁部に側面側から押し当てるようにして、閉じられる。
【００４７】
光ドロップケーブル１２は、外装ケース２の延在方向他側の端部に開口する接続ケーブル引込口２０ｂ（図１参照）に通しておく。
図４、図８等に示すように、前記接続ケーブル引込口２０ｂは、具体的には、子扉２８の周囲の周囲壁２８ｃ（詳細には、周囲壁２８ｃの内、第２ケース半体２２の他側の端部壁２２ｋと閉じ合わされる部分）の一部を切り欠いた部分であり、第２ケース半体２２と該第２ケース半体２２に閉じ合わされた子扉２８との合わせ目に形成される開口部である。
【００４８】
第２ケース半体２２の接続ケーブル引込口２０ｂに対応する部分には、光ドロップケーブル１２（被覆部分）を嵌め込んで固定するためのケーブル嵌め込み溝２２ｐ、２２ｑが複数配列形成された第３、第４溝配列部２２Ｐ、２２Ｑが、第１ケース半体２１の溝配列部２１Ｆ，２１Ｇと同様に、２列に形成されている。図５等に示すように、第４溝配列部２２Ｑは、第１溝配列部２１Ｐよりも第２ケース半体２２の内側にずれた位置に形成されている。
接続ケーブル引込口２０ｂに通す光ドロップケーブル１２は、子扉２８を閉じる前に、ケーブル嵌め込み溝２２ｐ、２２ｑに嵌め込んで固定しておく。
【００４９】
子扉２８を閉じると、子扉２８の外周部に周設されている図示略のシール部材が、第２ケース半体２２の側面側における接続ケーブル引込部２７の開口部２２ｄの周囲の枠状縁部に押し当てられて、防水性が確保される。
子扉２８を接続ケーブル引込部２７の開口部２２ｄの周囲の枠状縁部に閉じ合わせれば、子扉２８の第３、第４溝配列部２２Ｐ、２２Ｑに対応する部分に設けられている図示略のシール部材が、第３、第４溝配列部２２Ｐ、２２Ｑに押し当てられて、接続ケーブル引込口２０ｂから接続ケーブル引込部２７への浸水を防止できる。シール部材は、例えば、ゴム等の弾性材料によって形成されているため、光ドロップケーブル１２が嵌め込まれているケーブル嵌め込み溝２２ｐ、２２ｑ、及び、光ファイバケーブル１１が嵌め込まれていないケーブル嵌め込み溝２２ｐ、２２ｑのいずれにも確実に押し当てられて、防水性を確保できる。
【００５０】
また、この光クロージャ１では、第２ケース半体２２の２つの溝配列部２２Ｐ、２２Ｑの間に確保されたシール部材溝２２ｓ（図５参照）に固定されているシール部材２２ｔ（図５参照）と、子扉２８に取り付けられているシール部材２８ｅ（図８参照）とが閉じ合わされて、防水性が確保される。接続ケーブル引込口２０ｂに通して、接続ケーブル引込部２７の内外に配線された光ドロップケーブル１２は、２つの溝配列部２２Ｐ、２２Ｑの間にて、第２ケース半体２２、子扉２８のシール部材２２ｔ、２８ｅの間に挟み込まれる。
なお、第３、第４溝配列部２２Ｐ、２２Ｑは、光ドロップケーブル１２を固定するケーブル固定部として機能する。
【００５１】
接続ケーブル引込口２０ｂの、前記第３溝配列部２２Ｐよりも外側（第４溝配列部２２Ｑとは反対の側）にて、複数突設された弾性爪２２ｕ（図５参照）は、第２ケース半体２２内に引き込んだ光ドロップケーブル１２を保持して、ケース半体２１、２２同士の閉じ合わせ完了まで、第２ケース半体２２からの離脱を防止する、仮留め片として機能する。
この弾性爪２２ｕは、各ケーブル嵌め込み溝２２ｐに嵌め込まれた光ドロップケーブル１２を個別に保持できるように、ケーブル嵌め込み溝２２ｐと同数形成されている。
【００５２】
光ドロップケーブル１２先端の光コネクタ１４としては、予め、工場等で光ドロップケーブル１２先端に取り付けておいたものでも良いが、ここでは、現場で取り付けの可能な、外被把持形の光コネクタを採用している。
図１２に例示した、外被把持形の光コネクタ１４は、フェルール１４１を収納したハウジング１４２に、光ドロップケーブル１２先端部の外被に固定した固定ブロック１２ｂを引き留める引留部１４３を具備した構成になっている。
【００５３】
図示例の光コネクタ１４において、引留部１４３は、具体的には、ハウジング１４２の、フェルール１４１が設けられている前端側とは反対の後端側に、回動自在に枢着されている回動カバーである。また、この引留部１４３には、固定ブロック１２ｂに係合する係合部１４３ａが設けられている。
この光コネクタ１４を光ドロップケーブル１２先端に取り付けるには、光ドロップケーブル１２先端に口出しした光ファイバ１２ａを、ハウジング１４２に後端側から挿入して、フェルール１４１に予め内挿固定しておいた光ファイバ１４４（裸光ファイバ）と、ハウジング１４２内にて突き合わせ接続する。ハウジング１４２内には、光ファイバ１２ａ、１４４同士を突き合わせ接続可能に調心するための調心機構（図示略）が組み込まれる。
また、引留部１４３を回動して、係合部１４３ａを、光ドロップケーブル１２先端部の外被に予め固定しておいた固定ブロック１２ｂに係合することで、ハウジング１４２に光ドロップケーブル１２をハウジング１４２から引き抜かれないように引き留める。これにより、光コネクタ１４が光ドロップケーブル１２の先端に取り付けられる。
【００５４】
内部光ファイバ３先端の光コネクタ３１（光コネクタプラグ）、光コネクタアダプタ４としては、例えば、ＳＣ形光コネクタ（ＪＩＳ  Ｃ  ５９７３に制定されるＦ０４形光コネクタ。ＳＣ：Single fiberCoupling optical fiber connector）の光コネクタプラグ、光コネクタアダプタを採用できる。この場合、光ドロップケーブル１２先端の光コネクタ１４としても、ＳＣ形光コネクタ（光コネクタプラグ）が採用される。
内部光ファイバ３先端の光コネクタ３１，光コネクタアダプタ４、光ドロップケーブル１２先端の光コネクタ１４としては、光コネクタ３１、１４同士を互いに接続できるものであれば良く、ＳＣ形光コネクタの光コネクタプラグ、光コネクタアダプタ以外の光コネクタであってもよい。
【００５５】
第１ケース半体２１の面板２１ｂの外面側に突設されている引留具２１ｉは、接続ケーブル引込口２０ｂから外装ケース２外側に延出されて前記外装ケース２の前記延在方向において反対側へ反転するように湾曲配線された光ドロップケーブル１２を外装ケース２に引き留める。
図示例の引留具２１ｉは、例えばタイラップ等の、光ドロップケーブル１２を離脱可能に保持できるリング状の部材である。また、この引留具２１ｉは、複数の光ドロップケーブル１２を保持して引き留めることができる。
但し、この引留具２１ｉは、リング状のものに限定されず、光ドロップケーブル１２を離脱可能に保持できるものであれば良く、様々な構成のものを採用できる。
【００５６】
この光クロージャ１によれば、支持線１３に吊支して設置し、光ファイバケーブル１１の光ファイバ１１ａを内部光ファイバ３と接続した後、子扉２８を開けて、光ドロップケーブル１２先端の光コネクタ１４を、光コネクタアダプタ４に接続するだけで、光ファイバケーブル１１の光ファイバ１１ａに光ドロップケーブル１２を接続できる。光ファイバケーブル１１の光ファイバ１１ａに光ドロップケーブル１２を接続する作業を、第１ケース半体２１と第２ケース半体２２との間を開放することなく、簡単に行える。
子扉２８を閉じれば、接続ケーブル引込部２７の防水性を確保できる。
また、光ドロップケーブル１２の増設、光ファイバケーブル１１の光ファイバ１１ａに対する光ドロップケーブル１２の切替接続等の作業も、子扉２８を開放することで、一対のケース半体２１、２２の間を開くことなく簡単に行える。
【００５７】
なお、本発明に係る光クロージャは、前述の実施の形態に限定されず、その主旨を逸脱しない範囲で様々な変更が可能である。
（ａ）本発明の光クロージャに係る外装ケースは、閉状態において外観板状になるものに限定されず、例えば、閉状態において樽状になるもの等、様々なものを採用できる。
（ｂ）外装ケースとしては、一対のケース半体を一体化して組み立てられるものに限定されず、例えば、全体が１つの筐体であり子扉のみが開閉される構成のもの、スリーブ状のケース本体の軸方向両端あるいは片端に開閉可能の蓋が設けられているもの、等、様々な態様のものを採用できる。
（ｃ）上述の実施の形態では、外装ケース２の延在方向両端に、光ファイバケーブル１１を光ファイバ収納部２６に引き込むためのケーブル引込口２０ａが開口された構成を例示したが、本発明ではこれに限定されず、外装ケース２の延在方向片端のみに、ケーブル引込口２０ａが開口された構成も採用可能である。
（ｄ）子扉は、該子扉を第２ケース半体に対して連結するヒンジによる回動によって開閉する構成に限定されず、例えば、第２ケース半体に対するスライド移動によって、ケーブル引込部を開閉する構成等であっても良い。
（ｅ）コネクタ壁２２ｇは、延長壁２２ｇ１を省略して、段部壁２２ｇ２のみによって構成し、面板部２２ｂと区分け壁２５とを段部壁２２ｇ２のみによって連結しても良い。
さらに、接合壁２２ｆも省略して、段部壁２２ｇ２が、直接、面板部２２ｂから接合側へ延出されるようにすることも可能である。
（ｆ）内部光ファイバに、光ドロップケーブル先端の光コネクタをコネクタ接続するための光コネクタとしては、光コネクタアダプタに限定されず、例えば、内部光ファイバ先端に組み立てた光コネクタレセプタクルであっても良い。
（ｇ）上述の実施形態では、光ファイバケーブルと該光ファイバケーブルから分岐される光ドロップケーブル（第２の光ファイバケーブル）との接続に適用される光クロージャを例示したが、本発明に係る第２の光ファイバケーブルとしては光ドロップケーブルに限定されない。
（ｈ）上述の実施形態では、区分け部材として、第２ケース半体に形成された板状の区分け壁を採用した構成を例示したが、本発明に係る区分け壁としては、外装ケース内に光ファイバ収納部と接続ケーブル引込部とを区分けして形成できるものであれば良く、区分け壁に限定されない。例えば、柔軟な袋状の区分け部材を採用して、この区分け部材を収納した外装ケース内に、前記区分け部材によって、光ファイバ収納部と接続ケーブル引込部とが区分けして形成される構成等も採用可能である。
但し、区分け部材の構成の如何に関わらず、第１の光ファイバケーブルの光ファイバに第２の光ファイバケーブルをコネクタ接続するための光コネクタは、外装ケース内に前記接続ケーブル引込部に露出させて組み込み、接続ケーブル引込部側から前記第２の光ファイバケーブル先端の光コネクタを接続可能とする。
【図面の簡単な説明】
【００５８】
【図１】本発明に係る光クロージャを示す全体斜視図である。
【図２】図１の光クロージャを、接続ケーブル引込口が開口されている端面の側から見た側面図である。
【図３】図１の光クロージャの第１ケース半体に対して第２ケース半体を開いて光ファイバ収納部を開放した状態を示す正面図である。
【図４】図１の光クロージャの外装ケースの蓋（子扉）を開いて接続ケーブル引込部を開放した状態を示す正面図である。
【図５】図１の光クロージャの外装ケースの第２ケース半体を示す図であって、側面側から見た斜視図である。
【図６】図１の光クロージャの外装ケースの第２ケース半体を示す図であって、接合側から見た斜視図である。
【図７】図１の光クロージャの区分け壁の段部壁付近を示す拡大断面図である。
【図８】図１の光クロージャの子扉を示す斜視図である。
【図９】閉状態の外装ケースの内部構造の概略を示す図であって、（ａ）は図１のＡ−Ａ線断面矢視図（横断面図）、（ｂ）は図１のＢ−Ｂ線断面矢視図（縦断面図）である。
【図１０】閉状態の外装ケースの内部構造の他の態様の概略を示す図であって、（ａ）は横断面図、（ｂ）は縦断面図である。
【図１１】外装ケース内の光配線図であり、（ａ）は内部光ファイバとして光スプリッタを用いた例、（ｂ）は内部光ファイバとしてファンアウト光ファイバを用いた例である。
【図１２】光ドロップケーブルの先端に取り付ける外被把持形光コネクタの一例を示す図である。
【符号の説明】
【００５９】
１…光クロージャ、２…外装ケース、２１…第１ケース半体、２２…第２ケース半体、２２ｅ…ヒンジ、２３…ヒンジ、２５…区分け壁、２６…光ファイバ収納部、２７…接続ケーブル引込部、２８…蓋（子扉）、２０ｂ…接続ケーブル引込口、３…内部光ファイバ、３２…内部光ファイバ（光スプリッタ）、３３…内部光ファイバ（ファンアウト光ファイバ）、４…光コネクタ（光コネクタアダプタ）、１１…第１の光ファイバケーブル（光ファイバケーブル）、１１ａ…光ファイバ、１２…第２の光ファイバケーブル（光ドロップケーブル）、１２ｂ…固定ブロック、１３…支持線、１４…光コネクタ、１４１…フェルール、１４２…ハウジング、１４３…引留部（回動カバー）、１５…接続部。
【図１】
2007298921.tif 000003
【図２】
2007298921.tif 000004
【図３】
2007298921.tif 000005
【図４】
2007298921.tif 000006
【図５】
2007298921.tif 000007
【図６】
2007298921.tif 000008
【図７】
2007298921.tif 000009
【図８】
2007298921.tif 000010
【図９】
2007298921.tif 000011
【図１０】
2007298921.tif 000012
【図１１】
2007298921.tif 000013
【図１２】
2007298921.tif 000014